(57)【特許請求の範囲】
【請求項１】
半透過型液晶を用いた液晶表示装置を有する情報処理装置において、
第１及び第２の表示領域を有する液晶部と、
前記液晶部の背面にそれぞれ配置され、前記第１の表示領域を点灯対象領域とする第１のバックライト、及び前記第２の表示領域を点灯対象領域とする第２のバックライトと、
前記第１及び第２のバックライトに対してそれぞれ個別に点灯の制御を行うスイッチと、
電話通信及びメール通信を行うための通信手段と、
周囲の照度を感知する照度センサと、
発信元毎に、電話番号、メールアドレス、及び、電話着信時にその発信元に関する詳細情報を表示させるべきか否かを示す情報が予め登録されたメモリと、
前記液晶部の表示制御を行う表示制御手段と、
前記通信手段において着信が生じたとき、前記照度センサにて感知した照度が予め設定した所定の基準値に達しているか否かを判断する第１の点灯制御手段と、
前記第１の点灯制御手段により前記照度が前記所定の基準値に達していないと判断された場合、前記通信手段への着信が電話通信で、且つその発信元の電話番号と、その発信元に関する詳細情報を表示させるべきことを示す情報と、が前記メモリに登録されていることが条件となる第１の条件を満たすと判断したとき、前記第１及び第２のバックライトをそれぞれ点灯させるように前記スイッチを制御する共に、電話着信を報知するメッセージを前記液晶部の第２の表示領域に表示させ、また発信元に関する詳細情報を第１の表示領域に表示させるように前記表示制御手段を制御する第２の点灯制御手段と、
前記第１の条件を満たさないと判断された場合、前記通信手段への着信が電子メールの受信で、且つその発信元のメールアドレスが前記メモリに登録されていることが条件となる第２の条件を満たすと判断したとき、前記第１のバックライトを点灯させるように前記スイッチを制御する共に、受信した電子メールを前記液晶部の前記第１の表示領域に表示させるように前記表示制御手段を制御する第３の点灯制御手段と、
前記第２の条件を満たさないと判断された場合、前記通信手段への着信が電話通信で、且つその発信元の電話番号と、その発信元に関する詳細情報を表示させないことを示す情報と、が前記メモリに登録されていることが条件となる第３の条件を満たすと判断したとき、前記第２のバックライトを点灯させるように前記スイッチを制御する共に、電話着信を報知するメッセージを前記液晶部の前記第２の表示領域に表示させるように前記表示制御手段を制御する第４の点灯制御手段と、
さらに、前記第４の点灯制御手段は、前記第３の条件を満たさないと判断した場合、前記第１及び第２のバックライトをそれぞれ点灯させないように前記スイッチを制御する、
ことを特徴とする情報処理装置。
【発明の詳細な説明】
【０００１】
【発明の属する技術分野】
本発明は、バックライトを用いた液晶表示装置を有する情報処理装置に関する。
【０００２】
【従来の技術】
従来より、携帯型情報端末などの情報処理装置の表示手段として液晶表示装置が用いられている。液晶表示装置に用いられる相転移型の液晶としては透過型液晶と反射型液晶がある。
【０００３】
透過型液晶を用いた液晶表示装置は、液晶パネルの背面にバックライトを配置した構造であり、液晶パネルを電圧印加することで液晶を相転移させバックライトからの光をその表示面で透過または遮断することで表示を行う。この透過型液晶を用いたタイプのものは、暗い場所でも表示画面を認識することが可能であるが、バックライトの消費電力が大きいという課題がある。
【０００４】
また、反射型液晶を用いた液晶表示装置は、液晶パネルの背面に反射板を配置した構造であり、液晶パネルを電圧印加することで液晶を相転移させ入射光をその表示面で散乱または透過反射させることにより表示を行う。この反射型液晶を用いたタイプのものは光源が外光であるため、バックライトが不要となり消費電力の削減が可能であるが、その反面、暗い場所では表示画面を認識することが困難であるという課題がある。
【０００５】
特に透過型液晶を用いた液晶表示装置については、バックライトの消費電力を抑えるために、従来より、情報処理装置本体を一定時間使用していない期間はバックライトを消すなどの表示制御を行っていた。透過型液晶を用いた液晶表示装置におけるバックライト制御方法としては、特開平１０−２０７４００号などが提案されている。この従来技術では、液晶パネルの背面に複数のバックライトを配置すると共に、この複数のバックライトのうち表示すべき表示画面上の特定位置に対応するバックライトのみ点灯させるようにしている。
【０００６】
【発明が解決しようとする課題】
ところで、近年、情報処理装置では、上述した透過型液晶を用いた液晶表示装置に代わり、更なる低消費電力を実現可能なものとして半透過型液晶を用いた液晶表示装置が採用されている。この半透過型液晶を用いた液晶表示装置は、周囲が明るいときは反射型液晶を用いた液晶表示装置と同様に外光を光源として利用し、一方周囲が暗いときには透過型液晶を用いた液晶表示装置と同様にバックライトを光源とするものである。このように半透過型液晶を用いた液晶表示装置では、周囲が明るいときはバックライトの点灯が必要ないため、消費電力を低く抑えることが可能である。
【０００７】
この半透過型液晶を用いた液晶表示装置に対して、更なる消費電力の削減が求められているが、従来においては、この半透過型液晶を用いた液晶表示装置についてバックライトの消費電力制御を考慮したものはなかった。
【０００８】
本発明は上記した事情を考慮してなされたもので、半透過型液晶を用いた液晶表示装置を有する情報処理装置において、周囲の明るさ及び表示すべき情報の内容に応じてバックライトの点灯の制御を可能とすることにより、バックライトの消費電力制御を可能とした情報処理装置を提供することを目的とする。
【０００９】
【課題を解決するための手段】
本発明の情報処理装置は、半透過型液晶を用いた液晶表示装置を有する情報処理装置において、第１及び第２の表示領域を有する液晶部と、前記液晶部の背面にそれぞれ配置され、前記第１の表示領域を点灯対象領域とする第１のバックライト、及び前記第２の表示領域を点灯対象領域とする第２のバックライトと、前記第１及び第２のバックライトに対してそれぞれ個別に点灯の制御を行うスイッチと、電話通信及びメール通信を行うための通信手段と、周囲の照度を感知する照度センサと、発信元毎に、電話番号、メールアドレス、及び、電話着信時にその発信元に関する詳細情報を表示させるべきか否かを示す情報が予め登録されたメモリと、前記液晶部の表示制御を行う表示制御手段と、前記通信手段において着信が生じたとき、前記照度センサにて感知した照度が予め設定した所定の基準値に達しているか否かを判断する第１の点灯制御手段と、前記第１の点灯制御手段により前記照度が前記所定の基準値に達していないと判断された場合、前記通信手段への着信が電話通信で、且つその発信元の電話番号と、その発信元に関する詳細情報を表示させるべきことを示す情報と、が前記メモリに登録されていることが条件となる第１の条件を満たすと判断したとき、前記第１及び第２のバックライトをそれぞれ点灯させるように前記スイッチを制御する共に、電話着信を報知するメッセージを前記液晶部の第２の表示領域に表示させ、また発信元に関する詳細情報を第１の表示領域に表示させるように前記表示制御手段を制御する第２の点灯制御手段と、前記第１の条件を満たさないと判断された場合、前記通信手段への着信が電子メールの受信で、且つその発信元のメールアドレスが前記メモリに登録されていることが条件となる第２の条件を満たすと判断したとき、前記第１のバックライトを点灯させるように前記スイッチを制御する共に、受信した電子メールを前記液晶部の前記第１の表示領域に表示させるように前記表示制御手段を制御する第３の点灯制御手段と、前記第２の条件を満たさないと判断された場合、前記通信手段への着信が電話通信で、且つその発信元の電話番号と、その発信元に関する詳細情報を表示させないことを示す情報と、が前記メモリに登録されていることが条件となる第３の条件を満たすと判断したとき、前記第２のバックライトを点灯させるように前記スイッチを制御する共に、電話着信を報知するメッセージを前記液晶部の前記第２の表示領域に表示させるように前記表示制御手段を制御する第４の点灯制御手段と、さらに、前記第４の点灯制御手段は、前記第３の条件を満たさないと判断した場合、前記第１及び第２のバックライトをそれぞれ点灯させないように前記スイッチを制御する、ことを特徴とする。
【００１０】
【発明の実施の形態】
以下、図面を参照して本発明の実施の形態について説明する。図１は本実施形態に係わる情報処理装置の液晶表示装置を示す模式図である。
液晶表示装置は、特定の直線偏光成分を吸収しそれ以外の偏光成分を透過させる偏光フィルター１０１、ガラス基板１０２、透明電極１０３、液晶層１０４、特定の直線偏光成分を反射しそれ以外の偏光成分を透過する半透過偏光膜１０５、バックライトＡ１０６、バックライトＢ１０７、このバックライトの点灯を制御するスイッチ１０８、ＣＰＵ１０９から構成されている。なお、補助照明装置としては、バックライトの代わりにＬＥＤを用いても良い。周囲が明るいときには、偏光フィルター１０１の外部から入射される外光を半透過偏光膜１０５にて反射し、その反射光を光源として利用する。周囲が暗いときには、ＣＰＵ１０９がスイッチ１０８を制御し当該スイッチ１０８がバックライトＡ１０６或いはバックライトＢ１０７或いはバックライトＡ１０６とバックライトＢ１０７を同時に点灯させ、バックライトからの光を光源として利用する。
【００１１】
図２は、液晶表示装置における表示画面の例を示している。図２（Ａ）に示されているように、液晶表示装置の表示画面は、領域２０１と領域２０２とに分かれており、それぞれ独立して表示することが可能となっている。領域２０１は、バックライトＡ１０６の点灯対象領域であり、領域２０２は、バックライトＢ１０７の点灯対象領域である。図２（Ａ）は、バックライトＡ１０６、バックライトＢ１０７共に点灯させたときの表示例である。図２（Ｂ）は、バックライトＡ１０６のみ点灯させたときの表示例である。図３（Ｃ）は、バックライトＢ１０７のみ表示させたときの表示例である。
【００１２】
次に、上述した液晶表示装置を備えた情報処理装置の構成について説明する。図３に、本発明の実施の形態に係わる情報処理装置のシステム構成図を示している。
【００１３】
バックライトＡ１０６は、液晶部１１２の表示画面の領域２０１に対応する部分へ光源とすべき光を供給するものであり、バックライトＢ１０７は、液晶部１１２の表示画面の領域２０２に対応する部分へ光源とすべき光を供給するものである。スイッチ１１７は、ＣＰＵ１０９の制御の下に、バックライトＡ１０６及びバックライトＢ１０７の点灯の制御を行うものである。ＣＰＵ１０９は、マイクロプロセッサなどからなり、情報処理装置全体の制御を行うものである。メモリ１１０は、ＣＰＵ１０９による制御処理の際に利用される各種の情報を記憶するものである。ＬＣＤコントローラ１１１は、ＣＰＵ１０９の制御の下に、液晶部１１２における表示の制御を行うものである。液晶部１１２は、図２に示す表示画面を有し各種の情報を表示するものである。この液晶部１１２は、図１に示す偏光フィルター１０１、ガラス基板１０２、透明電極１０３、液晶層１０４、半透過偏光膜１０５から構成されている。グラフィックメモリ１１３は、液晶部１１２により表示される表示データを格納するものである。タブレット１１４は、ペン（図示せず）から入力される座標情報を読み取るものであり、このタブレット１１４は液晶部１１２と一体化されている。照度センサ１１５は、情報処理装置の周囲の明るさを感知するためのものである。リアルタイムクロック１１６は、時間計測を行うためのものである。電話機能部１１７は、携帯電話やＰＨＳ等の無線基地局との通信を行うものである。
【００１４】
次に、上記のように構成された情報処理装置における表示制御処理の動作について説明する。
電話機能部１１７において他の情報処理装置からの着信が生じると（ステップ４０１）、ＣＰＵ１０９はこれを検知し、照度センサ１１５により周囲の明るさを感知させる（ステップ４０２）。ＣＰＵ１０９は、照度センサ１１５にて感知した照度が予め定められた基準値よりも高いか否かを判定し（ステップ４０３）、基準値よりも高い場合は、バックライトＡ１０７及びバックライトＢ１０８を点灯せずに、ＬＣＤコントローラ１１１を介して液晶部１１２に着信に応じた情報を表示する（ステップ４１０）。ここで、メモリ１１０には、図５に示すように、発信元毎に、電話番号、メールアドレス、及び、電話着信時にその発信元に関する詳細情報を表示するか否かを示すためのフラグ（詳細情報表示フラグ）、からなる設定情報が記憶されている。発信元に関する詳細情報を表示するものについては詳細情報表示フラグの値が「１」に設定され、表示しないものは「０」が設定されている。
【００１５】
ＣＰＵ１０９は、この設定情報に基づいて、液晶部１１２に表示すべき表示内容を決定する。すなわち、電話機能部１１７にて、無線基地局から送信される電話番号を受信した場合、ＣＰＵ１０９は、受信された電話番号に基づいてメモリ１１０の設定情報を参照し、受信された電話番号に対応する発信元を特定する。そして、特定した発信元に応じて、図２（Ａ）のように表示画面の領域２０２に「＊＊＊さんからお電話です」等の電話着信を報知するメッセージを表示する。このとき、詳細情報表示フラグが「１」になっていれば、ＣＰＵ１０９は、特定した発信元に関する詳細情報を表示画面の領域２０１に表示する。なお、電話着信を報知するメッセージ及び発信元に関する詳細情報はメモリ１１０に記憶されている。これらの情報の表示に際しては、ＣＰＵ１０９が、メモリ１１０から表示すべき情報を取り出しグラフィックメモリ１１３へ出力し、この出力した情報を液晶部１１２にて表示させるようＬＣＤコントローラ１１１を制御する。なお、発信元に関する詳細情報は、メモリ１１０において発信元別に記憶されている。また、メモリ１１０に記憶されている設定情報は、別途ユーザにより設定可能な情報であり、詳細情報表示フラグの値も予めユーザにより設定されている。
【００１６】
また、電話機能部１１７にて電子メールを受信した場合には、図２（Ｂ）に示すように、ＣＰＵ１０９は、受信した電子メールを表示画面の領域２０１に表示する。
【００１７】
一方、ステップ４０３の判断で、照度センサ１１５にて感知した照度が予め定められた基準値に達していないと判断した場合、ＣＰＵ１０９はメモリ１１０に記憶された設定情報に基づいて、次に説明するＡからＣまでの判断基準を満たすか否かをそれぞれ判断し、その判断結果に応じてバックライトＡ１０６及びバックライトＢ１０７の点灯制御を行う。
【００１８】
まず、ＣＰＵ１０９は、判断基準Ａを満たすか否かを判断する（ステップ４０４）。すなわち、電話機能部１１７による着信が電話通信で且つその発信元の電話番号がメモリ１１０の設定情報中に登録されており、更に詳細情報表示フラグが「１」である場合には、ＣＰＵ１０９は、判断基準Ａを満たすと判断し、スイッチ１０８に対してバックライトＡ１０６及びバックライトＢ１０７を点灯させるよう制御する（ステップ４０５）。そして、ＣＰＵ１０９は、電話着信を報知するメッセージを液晶部１１２の表示画面の領域２０２に、また発信元に関する詳細情報を領域２０１にそれぞれ表示する（ステップ４１０）。この判断基準Ａを満たすと判断した場合の表示画面は、図２（Ａ）のようになる。
【００１９】
ステップ４０４により、判断基準Ａを満たしていないと判断した場合、引き続いてＣＰＵ１０９は、判断基準Ｂを満たすか否かを判断する（ステップ４０６）。すなわち、電話機能部１１７による着信が電子メールの受信であり且つその発信元のメールアドレスがメモリ１１０の設定情報中に登録されている場合、ＣＰＵ１０９は判断基準Ｂを満たしていると判断し、スイッチ１０８に対してバックライトＡ１０６を点灯させるよう制御する（ステップ４０７）。そして、ＣＰＵ１０９は、受信した電子メールを液晶部１１２の表示画面の領域２０１に表示させる（ステップ４１０）。この判断基準Ｂを満たすと判断した場合の表示画面は、図２（Ｂ）のようになる。
【００２０】
ステップ４０６により、判断基準Ｂを満たしていないと判断した場合、ＣＰＵ１０９は、判断基準Ｃを満たすか否かを判断する（ステップ４０８）。すなわち、電話機能部１１７による着信が電話通信で且つその発信元の電話番号がメモリ１１０の設定情報に登録されたものであり、更に詳細情報表示フラグが「０」である場合には、ＣＰＵ１０９は、判断基準Ｃを満たしていると判断し、スイッチ１０８に対してバックライトＢ１０７を点灯させるよう制御する（ステップ４０９）。そして、ＣＰＵ１０９は、電話着信を報知するメッセージを液晶部１１２の表示画面の領域２０２に表示させる（ステップ４１０）。判断基準Ｃを満たすと判断した場合の表示画面は、図２（Ｃ）のようになる。
【００２１】
一方、ステップ４０８において、メモリ１１０の設定情報に発信元が登録されていない電話の着信、或いはメモリ１１０の設定情報に発信元が登録されていない電子メールの場合、ＣＰＵ１０９は、判断基準Ｃを満たさないと判断し、バックライトＡ１０６及びバックライトＢ１０７の点灯は行わないよう制御する。引き続き、ＣＰＵ１０９は、電話機能部１１７において電子メールが受信されている場合、その電子メールを液晶部１１２の表示画面の領域２０１に表示させる（ステップ４１０）。
【００２２】
ステップ４１０にて画面表示を行うと、次にＣＰＵ１０９は、リアルタイムクロック１１６を参照してタブレット１１４からの入力が所定時間ないか否かを判断し、タブレット１１４から所定時間入力がなかった場合、バックライトＡ１０６、及び、バックライトＢ１０７への電力供給を中断し、スリープモードへ移行する（ステップ４１１）。
【００２３】
このように、液晶の背面に複数のバックライトを設けた構成とすると共に、周囲が暗い場合に、着信の内容に応じて表示に必要なバックライトのみ点灯させるようにしたので、バックライトの消費電力を抑えることができる。
【００２４】
なお、上述した実施の形態の説明では、ステップ４０４における電話着信時の発信元に関する詳細情報の表示を行うか否かの判断を、メモリ１１０の設定情報の詳細情報表示フラグの値に基づいて判断しているが、これに限らず、例えばメモリ１１０に発信元の詳細情報が記憶されているか否かを判断し、記憶されている場合に詳細情報を表示するよう制御しても良い。
【００２５】
また、ステップ４０８による判断で、判断基準Ｃを満たさないと判断した場合は、図示せぬ音声出力部により電話或いは電子メールの着信があった旨を音声によりユーザに報知するようにしても良い。この音声による報知に応じ、電話の着信であればユーザが電話着信に応答できるようにし、電子メールの着信であればユーザ側の指示でバックライトＢ１０７を点灯できるようにする。
【００２６】
また、上述した実施の形態の説明においては、表示画面の領域を２つに分割し、それぞれバックライトを配置する構成としているが、表示画面の領域の分割数を更に多くし（例えば３つ以上）、このそれぞれにバックライトを配置するようにしても良い。
【００２７】
【発明の効果】
以上詳述したように本発明によれば、液晶部の背面に複数のバックライトを配置した構成とすると共に、バックライト点灯制御手段により周囲の照度が所定の基準値に達していない場合に、通信手段における着信の内容を判別し、その着信の内容に応じた情報を表示すべき領域に対応するバックライトのみ点灯するようにしたため、表示に不要なバックライトの電力消費を抑えることができる。
【図面の簡単な説明】
【図１】本実施形態に係わる情報処理装置の液晶表示装置を示す模式図。
【図２】本実施形態に係わる液晶表示装置における表示画面例を示す図。
【図３】本実施形態に係わる情報処理装置のシステム構成図。
【図４】本実施形態に係わるバックライト点灯制御の流れを示したフローチャート。
【図５】情報処理装置のメモリ３０２に記憶される設定情報を示した図。
【符号の説明】
１０１…偏光フィルター
１０２…ガラス基板
１０３…透明電極
１０４…液晶層
１０５…半透過偏光膜
１０６…バックライトＡ
１０７…バックライトＢ
１０８…スイッチ
１０９…ＣＰＵ
１１０…メモリ
１１１…ＬＣＤコントローラ
１１２…液晶部
１１３…グラフィックメモリ
１１４…タブレット
１１５…照度センサ
１１６…リアルタイムクロック
１１７…電話機能部
【図１】
0004175730.tif 000002
【図２】
0004175730.tif 000003
【図３】
0004175730.tif 000004
【図４】
0004175730.tif 000005
【図５】
0004175730.tif 000006